(57)【要約】【課題】家畜の畜舎に配設した複数の送風装置を、送風を必要とする家畜の種類および家畜の収容数に応じて、風量を個別に制御して排出するように構成したことにある。【解決手段】建屋内に配設した複数の送風装置２と、これら送風装置２にそれぞれ駆動電力を供給する駆動電源１と、前記駆動電源１と接続されて各送風装置２に取付けられた制御装置１０を個別に駆動制御するコントローラ７を内蔵した操作盤６とを具備し、前記操作盤６と各送風装置２とをそれぞれ並列接続して、前記操作盤６から各制御装置１０に指令信号を個別に、または、同時に送出するように構成した。【選択図】　　　　図１
2004027921.tif 000002
【特許請求の範囲】
【請求項１】
建屋内に配設した複数の送風装置と、これら送風装置にそれぞれ駆動電力を供給する駆動電源と、前記駆動電源と接続されて各送風装置に取付けられた制御装置を個別に駆動制御するコントローラを内蔵した操作盤と、前記操作盤と各送風装置とをそれぞれ並列接続して前記操作盤から各制御装置に駆動信号を個別に、または、同時に送出するように構成したことを特徴とする送風装置の駆動制御装置。
【請求項２】
前記操作盤に内蔵したコントローラは、送風装置の運転手段と、停止手段と、回転速度制御手段とを具備して構成したことを特徴とする請求項１記載の送風装置の駆動制御装置。
【請求項３】
前記回転速度制御手段は、所定の風量を送風する送風装置の回転速度を複数の回転速度に可変制御可能に構成したことを特徴とする請求項２記載の送風装置の駆動制御装置。
【請求項４】
前記回転速度制御手段は、複数の送風装置を任意の数量駆動制御し、かつ、駆動している所定の風量を送風する送風装置の回転速度を、複数の回転速度に可変制御可能に構成したことを特徴とする請求項２または３記載の送風装置の駆動制御装置。
【請求項５】
前記各送風装置に個別に取付けた制御装置は、送風装置を駆動する電動機を所要の回転速度に制御するインバータと、前記インバータに制御信号を出力する運転制御部とによって構成したことを特徴とする請求項１記載の送風装置の駆動制御装置。
【発明の詳細な説明】
【０００１】
【発明の属する技術分野】
本発明は、建屋内に複数台配設した送風装置を必要に応じて、所定の風量が得られる回転速度に駆動制御可能とした送風装置の駆動制御装置の改良に関する。
【０００２】
【従来の技術】
従来から、例えば、牛舎，豚舎その他畜舎には、建屋の面積に応じて複数の送風装置（大形扇風機）が設置されている。これは、夏場から秋にかけて家畜の暑さに対する疲労（夏ばて）を防ぐとともに、晩秋や初夏における日中と朝・夕方の温度差を解消して家畜がカゼをひかぬようにしたり、あるいは、畜舎の床に敷きつめたわらやおがくずからなる敷物を乾燥させたり、畜舎内から糞尿や家畜の体臭等から発する悪臭を屋外に排出し、常に畜舎内の飼育環境を良好に維持して家畜を良好な健康状態で飼育するために行われている。
【０００３】
【発明が解決しようとする課題】
前記送風装置は、一般に畜舎の壁面に沿って一定の間隔を保って天井から垂直に吊下げられた状態で取付けられていることが多く、この場合、送風装置によって生成される風は、畜舎内をほぼ水平（横方向）に送風されるため、畜舎内の換気には役立つものの、わら等の敷物や床面を乾燥させることは困難であった。また、送風が水平方向に移動するため、家畜（例えば、牛）が横になって寝るような場合、風が当らないため飼育環境が悪化し、特に、夏場においては暑さでへばったり、夏ばてになって食欲不振で成育が遅れたり、また、乳牛の場合は搾乳量が減る等の問題があった。
【０００４】
前記の問題を解消するために、例えば、送風装置の送風部分を下向きにして送風装置から送風される風を家畜やわら等に直接当てるように送風装置を取付けることも考えられる。この場合、送風装置から送風される風は、上から下に向って送風されるため、家畜は夏場においても、横に寝た状態でも良好に涼しい風に当ることができるので、夏ばてが解消し食欲もでて成育がよくなり、搾乳量も増すことができる。しかし、この場合、送風装置から送風される風量が一定であることが多いため、家畜によっては風が逆に強過ぎたり、家畜がいない部位においても送風装置が稼動し、わら等の敷物を吹き飛ばしたりして、他の部位にいる家畜に少なからず悪影響をおよぼしたり、不必要に送風装置を稼動させることにより、エネルギー費用が無駄になる等の問題を有していた。
【０００５】
本発明は、前記の問題点に鑑み、畜舎に配設される複数の送風装置を、家畜の種類や、飼育数、畜舎のスペース等に対応して、風量を任意に可変制御可能とした、飼育性、換気性、乾燥性能に優れた送風装置の駆動制御装置を提供することにある。
【０００６】
【課題を解決するための手段】
請求項１記載の発明は、建屋内に配設した複数の送風装置と、これら送風装置にそれぞれ駆動電力を供給する駆動電源と、前記駆動電源と接続されて各送風装置に取付けられた制御装置を個別に駆動制御するコントローラを内蔵した操作盤と、前記操作盤と各送風装置とをそれぞれ並列接続して前記操作盤から各制御装置に駆動信号を個別に、または、同時に送出するように構成したことを特徴とする。
【０００７】
請求項１記載の発明においては、複数の送風装置にそれぞれ個別に設置した制御装置と、この制御装置に駆動信号を出力するコントローラを内蔵した操作盤とを、それぞれ信号線を用いて並列接続し、送風装置への駆動信号を前記操作盤から各制御装置に個別、または、同時に送出するようにしたので、複数の送風装置は常に家畜のいる部位のみに排風を送出したり、あるいは、家畜がいない部位でも送風により床面や敷物等の乾燥処理および畜舎の換気を任意に行うことができるため、家畜の飼育に適した風の送出が行い得、かつ、畜舎内の換気が良好に行えるので、悪臭の排除や家畜の敷物等の乾燥処理を迅速・確実に行うことができ、家畜の飼育環境を確実に向上させることができる。また、各制御装置は、コントーラとは並列接続されている関係上、複数の送風装置において、制御装置のいくつかがたとえ故障したとしても、他の制御装置は正常に駆動することができるので、制御装置の故障によって飼育環境に悪影響を与えるという問題は良好に回避でき、利便である。
【０００８】
請求項２記載の発明は、請求項１記載の送風装置の駆動制御装置において、前記操作盤に内蔵したコントローラは、送風装置の運転手段と、停止手段と、回転速度制御手段とを具備して構成したことを特徴とする。
【０００９】
請求項２記載の発明においては、複数の送風装置にそれぞれ設置した制御装置を駆動制御するコントローラは、前記各制御装置を運転／停止させる手段と、送風装置からの風量を制御する手段を備えて構成されているので、コントローラ自体を簡素に、かつ、経済的に製作できるとともに、制御自体も送風装置の風量に対応する回転速度を可変するのみであるため、簡易に、しかも、故障の少ないコントローラの提供が可能となり、至便である。
【００１０】
請求項３記載の発明は、請求項２記載の送風装置の駆動制御装置において、前記回転速度制御手段は、所定の風量を排風する送風装置の回転速度を複数の回転速度に可変制御可能に構成したことを特徴とする。
【００１１】
請求項３記載の発明においては、コントローラに内蔵した回転速度制御手段は、送風装置の風量に相当する回転速度を任意の回転数、即ち、複数の回転速度に可変制御できるように構成されているので、例えば、畜舎内において、親牛と仔牛に当てる風量を可変したり、あるいは、畜舎内において家畜が外に出ている部位を乾燥・換気する場合に際して風量調整を行うことが可能となり、これにより、畜舎内の飼育環境を良好に向上させて、家畜の飼育に適した環境を常に維持することが可能となる。
【００１２】
請求項４記載の発明は、請求項２または３記載の送風装置の駆動制御装置において、前記回転速度制御手段は、複数の送風装置を任意の数量駆動制御し、かつ、駆動している送風装置の所定の風量を送風する回転速度を、複数の回転速度に可変制御可能に構成したことを特徴とする。
【００１３】
請求項４記載の発明においては、コントローラに内蔵した回転速度制御手段は、畜舎内において、複数配設した送風装置を必要な個所の送風装置のみ駆動させたり、その駆動する送風装置を任意の風量が得られる回転速度に可変できるようにしたので、畜舎内における送風装置は必要個所のみ駆動させることができるため、エネルギー使用の低減が図れるとともに、送風装置の回転速度（風量）についても、任意に可変することが可能となっているので、即ち、畜舎にて飼育する家畜の種類，飼育数に対応して送風装置の駆動を制御することができる結果、飼育環境の向上を良好にはかることができることはもとより、送風装置を適正なエネルギーにて効率的に、かつ、経済的に運転することができ、利便である。
【００１４】
請求項５記載の発明は、請求項１記載の送風装置の駆動制御装置において、前記各送風装置に個別に取付けた制御装置は、送風装置を駆動する電動機を所要の回転速度が得られるように制御するインバータと、前記インバータに制御信号を出力する運転制御部とによって構成したことを特徴とする。
【００１５】
請求項５記載の発明においては、操作盤に具備したコントローラによって駆動が制御される送風装置の制御装置は、送風装置を駆動するインバータと、このインバータにコントローラからの駆動信号を受けて駆動指令を出力する運転制御部とによって構成したので、送風装置の駆動制御は、すべてコントローラからの駆動指令にて行うことができ、これにより、制御装置の構成を簡素に、かつ、経済的に製作でき、この種送風装置の駆動制御装置を経済的に製作することができ、至便である。
【００１６】
【発明の実施の形態】
以下、本発明の実施例を図１ないし図４によって説明する。図１は本発明の駆動制御装置によって駆動する送風装置を概略的に配置した構成図を示し、図１において、１は例えば、畜舎に配設した複数の送風装置２に駆動電力を供給するための駆動電源で、商用電源、あるいは、自家用発電装置により発電した電源からなる。そして、前記配置された複数の送風装置２は、前記駆動電源１に対してそれぞれ電力線１ａを介して並列接続されている。
【００１７】
そして、前記駆動電源１に並列接続された各送風装置２は、図１，２に示すように、電動機３に取付けた送風ファン４と、この送風ファン４を回転可能に取付けた前記電動機３を支持する送風枠体５とによって概略構成されている。６は前記駆動電源１に接続した操作盤を示し、この操作盤６は、基本的には前記送風装置２の駆動を制御するためのコントローラ７を内蔵して構成されている。
【００１８】
前記操作盤６に内蔵したコントローラ７は、図３に示すように、操作盤６に具備した操作部８に設けた各種スイッチ類によって操作することができる。即ち、前記操作部８には、送風装置２の運転／停止スイッチａ，送風装置２を個別運転と全数運転とに切換えるための切換スイッチｂ，送風装置選択スイッチｃ，駆動させる送風装置２の識別番号（以下、ＩＤ番号という）を順次表示する表示窓ｄ，送風装置２の風量を調整設定するための風量調整スイッチｅ，設定した風量を表示する表示灯ｆが具備されている。
【００１９】
コントローラ７は前記した各種のスイッチ操作を行うことにより、あらかじめ設定したプログラムによって送風装置２を駆動制御させるもので、前記コントローラ７には概略次に示すようなプログラムが設定されている。
（１）運転／停止操作
送風装置２を駆動させたり、停止させたりする機能を備えたプログラム。
（２）駆動電源ＯＦＦ操作
送風装置２の運転中に停電事故が発生した場合、停電復旧時に停電前の状態を維持している機能を備えたプログラム。
（３）通常運転操作
送風装置２の運転中に、運転／停止スイッチａ，切換スイッチｂ，送風装置選択スイッチｃ，風量調整スイッチｅを操作しない限り、送風装置２の運転を最初に設定した状態で駆動する機能を備えたプログラム。
例えば、事前に配置したすべての送風装置２を同じ回転速度で回転させる場合とか、あるいは、配設した送風装置２を１台おきに運転させ、かつ、その回転速度で回転させる場合等、一度設定したらその設定を変更しない限り、同じ設定条件で送風装置２の運転を維持させる機能を備えたプログラム。
【００２０】
（４）操作指令
Ａ．個別運転
・選択したＩＤ番号を付した送風装置２のみを運転させる機能を備えたプログラム。
・個別運転を選択しない送風装置２は、風量調整を行わない限り、全数運転時に設定した風量が得られる回転速度で運転させる機能を備えたプログラム。
Ｂ．全数運転
・畜舎に配設した全数の送風装置２を、事前に設定した風量が得られる回転速度で運転させる機能を備えたプログラム。
・送風装置２の全数運転を選択したとき、送風装置２は風量調整を行わない限り、前回選択した風量が得られる回転速度にて運転させる機能を備えたプログラム。
・全数運転から個別運転に切換えたとき、送風装置２はそれぞれ風量調整を行わない限り、全数運転時に設定した風量が得られる回転速度で運転させる機能を備えたプログラム。
Ｃ．風量調整
・送風装置２に所定の風量が得られる回転速度を複数段、例えば、２００回転／分〜７００回転／分の間において、これを、例えば、１０段階に切換えて風量調整を行うようにした機能を備えたプログラム
・風量を設定しないときは、送風装置２の送風ファン４の回転を停止させ、風量を設定したときは、設定した風量が得られる回転速度で送風ファン４（送風装置２）を回転させる機能を備えたプログラム。
・風量を設定したときは、その風量を表示する表示灯ｆを点灯させる機能を備えたプログラム。
【００２１】
Ｄ．その他
・操作部８の表示窓ｄに選択した送風装置２のＩＤ番号、例えば、「０１」・・・「３０」を個々に表示させる機能を備えたプログラム。
・前記表示窓ｄに「００」が表示されたときは、送風装置２を全数運転させる機能を備えたプログラム。
・前記表示窓ｄに「００」が表示され、かつ、風量調整スイッチｅにて選択した風量が得られる回転速度を選択したときは、送風装置２の全数を選択した風量が得られる回転速度で運転させ、風量調整を行わないときは、前回設定した風量が得られる回転速度で送風装置２を運転させる機能を備えたプログラム。
・運転／停止スイッチａを操作したとき、運転中の表示灯ｇを点・消灯させ、また、個別／全数を切換える切換スイッチｂを操作したとき、個別運転の表示灯ｈを点・消灯させる機能を備えたプログラム。
【００２２】
次に、前記複数の送風装置２には、図２に示すように、各送風装置２毎に操作盤６に設けたコントローラ７からの駆動信号にて駆動制御される制御装置１０が電動機３の背部に一体的に取付けられている。この制御装置１０は、コントローラ７からの駆動信号により内蔵されている制御プログラムが作動し、コントローラ７からの駆動指令をインバータ１２に制御信号として出力し、インバータ１２を駆動制御して電動機３をコントローラ７からの駆動指令にて運転制御する運転制御部１１と、前記インバータ１２とによって構成されている。
【００２３】
そして、前記各制御装置１０は、図２に示すように、操作盤６のコントローラ７とは、信号線６ａを介してそれぞれ並列接続されている。各送風装置２は、コントローラ７からの駆動信号に従って運転制御部１１が作動して、インバータ１２を駆動制御して電動機３をコントローラ７にて設定した風量に相当する回転速度で回転させ、送風ファン４により事前に設定した適量の風を生成し送風するものである。
【００２４】
なお、本発明において、前記制御装置１０を具備した各送風装置２は、これを、例えば、家畜の畜舎に設置する場合、家畜の飼育に適した風を生成するために、送風ファン４を排風が下向き、あるいは、斜め下向きに排風することができるように、畜舎の天井から吊下げるようにして取付けるとよい。しかし、送風装置２の使用場所および風を必要とする対象物に応じて、送風ファン４を横向きにして取付ける等、その取付けについては任意に選択することができることは当然である。
【００２５】
次に本発明の送風装置の駆動制御装置を家畜の畜舎に実施した例について説明する。この場合、送風装置２は送風が上から下に向って流れやすくなるように、送風ファン４を斜め下向きにして、複数台（例えば、一定の間隔を保って横列に３０台）取付けた場合について説明する。
【００２６】
最初に、複数の送風装置２を個別運転する場合について説明する。図３，４において、操作盤６の操作部８に設けた運転／停止スイッチａを押して、運転中の表示灯ｇが点灯することにより投入操作を終える（図４のステップＳ１，Ｓ２参照）。つづいて、同様に操作部８の個別／全数と記載した切換スイッチｂを個別運転の表示灯ｈが点灯するまで投入を繰返す（この場合、１または２回投入操作を行うことにより、切換スイッチｂは個別／全数に反転するため。図４のステップＳ４参照）。なお、運転を中止する場合は、運転／停止スイッチａを再度投入することにより、送風装置２は停止状態となる（図４のステップＳ３参照）。
【００２７】
前記切換スイッチｂの投入により個別運転が設定されると、操作部８の表示窓ｄには「０１」の数字が表示される。この「０１」が表示されると、「０１」のＩＤ番号を付した送風装置２は、前回設定した風量に相当する回転速度によって送風装置２は駆動を開始する（図４のステップＳ５〜Ｓ７参照）。
【００２８】
この状態で、前記ＩＤ番号「０１」の送風装置２の風量変更に伴う回転速度の変更をする場合は、図３に示す風量調整スイッチｅの右側に位置する△側を投入して風量の変更を行う（図４のステップＳ８，Ｓ９参照）。
【００２９】
例えば、ＩＤ番号「０１」の送風装置２の風量を強くするということで、これまでの風量を示す表示灯ｆの点灯位置（例えば、図３の左から４番目）を、図３の右から３番目において点灯させる位置まで風量調整スイッチｅを投入して表示灯ｆの点灯位置を移動させる。この結果、ＩＤ番号「０１」の送風装置２の風量は、変更した風量に見合う回転速度で電動機３を回転させることができるため、送風ファン４にて送出される風量はこれまでより多くなる。
【００３０】
前記のようにして、ＩＤ番号「０１」の送風装置２の風量調整を終えたら、送風装置選択スイッチｃの△側を投入し、ＩＤ番号「０２」を操作部８の表示窓ｄに表示させる。そして、ＩＤ番号「０２」の送風装置２について風量を変更する場合は、前記ＩＤ番号「０１」の場合と同様の操作を行う（風量を弱い方向に切換えるときは、風量調整スイッチｅの左側に位置する△側を投入し、所定の風量が得られる位置の表示灯ｆを点灯させることにより、風量を弱い方向に切換える。図４のステップＳ４〜Ｓ９参照）。
【００３１】
前記のように、送風装置選択スイッチｃを送風装置２のＩＤ番号が大きくなる△側において順次投入し、ＩＤ番号「０３」，「０４」・・・を表示し、該当ＩＤ番号の送風装置２の風量調整が必要な場合は、風量調整スイッチｅを操作して風量変更を行い、逆に、風量調整を不要とするＩＤ番号の送風装置２においては、風量調整スイッチｅを操作することなく、次のＩＤ番号を選択して操作を続ける（図４のステップＳ４〜Ｓ９参照）。なお、所定のＩＤ番号を付した送風装置２以降の送風装置２の運転を行わない（選択しない）場合、例えば、ＩＤ番号「１５」以降の送風装置２を選択しない場合は、ＩＤ番号「１５」以降の送風装置２は駆動しない（図４のＳ６，Ｓ１１，Ｓ８，Ｓ１２参照）。
【００３２】
また、所要の送風装置２において、運転を停止したい場合は、その送風装置２に付したＩＤ番号を送風装置選択スイッチｃを操作して表示窓ｄに表示させる。ＩＤ番号の表示を終えたら引続き風量調整スイッチｅの左側に位置する△側を投入し、表示灯ｆの点灯位置を順次図３の左方向に移動させ、左端の表示灯ｆを消灯させると、コントローラ７に設定したプログラムによって、選択したＩＤ番号の送風装置２は運転を停止する。即ち、送風を中止する。本例の場合、送風を必要としない送風装置２においては、必ず前記のように、風量調整スイッチｅにより風量が０となるように操作する。即ち、風量調整スイッチｅにて風量「０」を設定すればよい。これを怠ると、風量が不要な送風装置２は前回設定の風量にて駆動することになる。
【００３３】
以上説明したように、複数の送風装置２の個別運転において、前記操作盤６の操作部８に設けた送風装置選択スイッチｃ，風量調整スイッチｅを操作することにより、運転状況を変更する送風装置２は、そのＩＤ番号によって選択されると、風量変更を指令する駆動信号が、コントローラ７から信号線６ａを経て該当するＩＤ番号を付した送風装置２の制御装置１０に出力され、この駆動信号を受信した運転制御部１１は、駆動信号にて指令された内容にてインバータ１２を駆動すべく、インバータ１２に制御信号を送出して駆動制御し、電動機３を変更した風量が得られる回転速度で回転させるべく回転速度を変更させる。この結果、送風装置２はコントローラ７からの指令に従った風量を送風するように運転を変更することができる。
【００３４】
前記送風装置２の風量調整、あるいは、特定の送風装置２の運転を停止させるような場合は、すべて前述したように、操作盤６の操作部８に設けた２つのスイッチ、即ち、送風装置選択スイッチｃ，風量調整スイッチｅを操作することにより、コントローラ７からＩＤ番号にて選択した所定の送風装置２の運転状況を容易に変更することが可能となる。
【００３５】
前記のように、ＩＤ番号「０１」〜「３０」の送風装置２をそれぞれ個別にその風量調整、あるいは、運転を停止させることが１つのコントローラ７より、各送風装置２に設けた制御装置１０に、それぞれ該当する送風装置２の駆動を変更する駆動信号を送出することができるため、各送風装置２は、それぞれ個々に、あるいは、複数台を１組として容易に風量を可変して運転することが可能となる。
【００３６】
前記の各送風装置２における風量の変更および一部の送風装置２の運転／停止を行うことは、家畜の飼育に適した環境を畜舎においても実現することを目的にするものである。今、例えば、畜舎に親牛，仔牛、あるいは、放牧のため畜舎内の一部が空所となっていたりした場合について説明する。
【００３７】
例えば、図示しない畜舎内の送風装置２のＩＤ番号「０１」〜「１０」のところには、親牛が収容されており、ＩＤ番号「１１」〜「１３」のところには、仔牛が収容され、更に、ＩＤ番号「１４」〜「１７」は空所、また、ＩＤ番号「１８」〜「３０」のところには、親牛がそれぞれ収容されているような場合について説明する。即ち、親牛が収容されているところに配置されている送風装置２（ＩＤ番号「０１」〜「１０」，「１８」〜「３０」）は、それぞれ同一風量が得られる回転速度で運転し、逆に、仔牛が収容されているところの送風装置２（ＩＤ番号「１１」〜「１３」）は、前記親牛の場合の風量に比べてやや弱い風量が得られる回転速度で運転する。これは、仔牛の場合、親牛に比べ強い風を当てることにより、かぜ等をひいて体調を崩したりすることがあるために、風量をやや少なくした心地よい風量の風を仔牛に当てることによって、仔牛の体調維持をはかるようにするためである。また、親牛，仔牛のいない空所部分に配置されている送風装置２（ＩＤ番号「１４」〜「１７」）は、風を当てる牛がいないため、省エネ等の関係から、運転を中止させる。この場合、この部位の敷物を乾燥させたり、他の飼育部位との関係から送風装置２の風を必要とする場合は、風量調整を行って送風装置２を運転させることは、何等差し支えないことは云うまでもない。
【００３８】
このように、本発明の送風装置の駆動制御装置においては、家畜の収容されている部位に配設した送風装置２は、家畜の種類、体調（飼育）の状況に対応して任意に風量を可調整することができるため、家畜の飼育環境，畜舎の衛生状態の向上を良好にはかることができる。特に、飼育中の家畜に対しては、送風装置２からの風を家畜が横に寝ている時、あるいは、立姿での食事中においても、家畜の飼育状況に対応して最適な風量で風を当てることができることはもとより、風に当りたくない家畜に対しては、その家畜のところに配置した送風装置２は運転を停止すれば家畜は風を避けることができる。この結果、例えば、家畜は夏の暑い日においても夏ばてがなくなり、食欲も旺盛で飼育が向上することはもとより、乳牛においては搾乳量も増加させることもできる。
【００３９】
次に、本発明の駆動制御装置において、送風装置２を全数運転する場合について説明する。送風装置２を全数運転する時は、操作盤６の操作部８に設けた運転／停止スイッチａを投入した後、切換スイッチｂを操作し、全数運転を呼び出す。即ち、全数運転を実施する場合は、これまで切換スイッチｂが個別運転側に設定されていたとすれば、その状態で、切換スイッチｂを投入すると、個別運転の表示灯ｈは消灯し、操作部８の表示窓ｄには「００」の数字が表示される（図４のＳ４，Ｓ１０参照）。
【００４０】
このあと、風量調整が必要であれば、風量調整スイッチｅを操作して風量調整を行う。風量調整が不要な場合は、表示窓ｄに「００」が表示された時点で操作盤６のコントローラ７から送風装置２の制御装置１０に、風量調整の表示灯ｆが点灯している位置の風量で送風装置２を稼動させる駆動信号が出されて、送風装置２の全数（３０台）を同一風量が得られる回転速度で一斉に駆動させる（図４のステップＳ１０，Ｓ６，Ｓ１１，Ｓ８，Ｓ９，Ｓ１２参照）。
【００４１】
この結果、畜舎に配設された送風装置２は、すべて同一条件で稼動することになる。この場合は、畜舎内に親牛のみがいる場合とか、あるいは、放牧によって畜舎内が空である場合にこの全数運転を行うことがある。家畜がすべて親牛であれば、風量は同一でよく、また、畜舎内が空である時は、清掃等を行った後の畜舎床面とか、わら等の敷物、家畜の飼料となる干し草等の乾燥処理に役立つからに他ならない。
【００４２】
なお、本発明は、操作盤６の操作部８に切換スイッチｂ、送風装置選択スイッチｃを操作して、送風装置２の個別／全数制御する例について説明したが、本発明はこれに限定することなく、例えば、操作盤６の近くに、送風装置２のＩＤ番号と、そのＩＤ番号を付した送風装置２を個々に操作する専用スイッチを取付け、これら、スイッチにて送風装置２をＩＤ番号に基づいて一台づつＯＮ・ＯＦＦ制御させて、運転／停止させることにより、送風装置２の個別運転の容易化をはかるようにしてもよいことは当然である。
【００４３】
【発明の効果】
本発明は、以上説明したように、複数の送風装置にそれぞれ個別に設置した制御装置と、これら制御装置に指令信号を出力するコントローラを内蔵した操作盤とを、それぞれ信号線を用いて並列接続し、送風装置への駆動指令を前記操作盤から各制御装置に個別または同時に送出するようにしたので、複数の送風装置は常に家畜のいる部位のみに排風を送出したり、あるいは、家畜がいない部位においても排風により床面や敷物等の乾燥処理や畜舎の換気を任意に行うことができるため、家畜の飼育に適した風の送出が行い得、かつ、畜舎の換気が良好に行えるので、悪臭排除や家畜の敷物等の乾燥処理を迅速・確実に行うことができ、家畜の飼育環境を確実に向上させることができる。また、各制御装置は、コントーラとは並列接続されている関係上、複数の送風装置において、その制御装置や電動機のいくつかがたとえ故障したとしても、他の制御装置は正常に駆動することができるので、制御装置等の故障によって家畜の飼育等に悪影響を与えるという問題を良好に回避し、家畜を常に清潔な環境で飼育でき利便である。
【００４４】
また、本発明においては、操作盤内のコントローラに内蔵した回転速度制御手段は、送風装置の風量に対応する回転速度を任意の回転数、即ち、複数の回転速度に可変制御できるように構成されているので、例えば、畜舎内において、親牛と仔牛に当てる風量を可変したり、あるいは、畜舎内において家畜が外に出ている部位を乾燥・換気する場合に際して風量調整を行うことにより、家畜の成育が円滑・良好に行えるとともに、畜舎内の成育環境を良好に向上させて、家畜の飼育に適した環境を常に維持することが可能となる。
【図面の簡単な説明】
【図１】本発明の駆動制御装置を具備した送風装置の配置状況の一例を示す概略構成図である。
【図２】本発明の送風装置の駆動制御装置を概略的に示す結線図である。
【図３】操作盤の操作部を示す正面図である。
【図４】本発明の駆動制御動作を概略的に説明するフローチャート図である。
【符号の説明】
２　送風装置
３　電動機
４　送風ファン
６　操作盤
７　コントローラ
８　操作部
１０　制御盤
１１　運転制御部
１２　インバータ
ａ　運転／停止スイッチ
ｂ　個別／全数スイッチ
ｃ　送風装置選択スイッチ
ｄ　風量調整スイッチ
【図１】
2004027921.tif 000003
【図２】
2004027921.tif 000004
【図３】
2004027921.tif 000005
【図４】
2004027921.tif 000006